(57)【要約】      （修正有）【課題】様々な方向に旋回可能であり、音声再生機能及び無線充電機能を備えた無線充電ホルダーを提供する。【解決手段】モバイル電子端末に対して無線充電を行う無線充電発射器と、モバイル電子端末を係合連結可能な自在継手２０と、支持体１０と、支持体内に収容された近距離無線機構とを備え、支持体の上端に自在継手が旋回可能に枢支され、無線充電発射器が支持体内に設けられ、近距離無線機構が、近距離無線モジュールと、スピーカーと、電源を供給する第１電源部材とを備え、第１電源部材とスピーカーが近距離無線モジュールにそれぞれ電気的に接続され、近距離無線モジュールがモバイル電子端末の音声情報を受信してスピーカーを介して再生し、第１電源部材が無線充電発射器に電気的に接続される。【選択図】図６
0003193967.tif 000002
【実用新案登録請求の範囲】
【請求項１】
モバイル電子端末の支持に適用される無線充電ホルダーであって、
無線充電発射器と、自在継手と、支持体と、前記支持体内に収容されたブルートゥース機構とを備え、前記支持体の上端に前記自在継手が旋回可能に枢支され、前記自在継手に前記モバイル電子端末が着脱自在に係合連結可能であり、前記モバイル電子端末に対して無線充電を行う前記無線充電発射器が前記支持体内に設けられ、前記ブルートゥース機構が、ブルートゥースモジュールと、スピーカーと、電源を供給する第１電源部材とを備え、前記第１電源部材と前記スピーカーが前記ブルートゥースモジュールにそれぞれ電気的に接続され、前記ブルートゥースモジュールが前記モバイル電子端末の音声情報を受信して前記スピーカーを介して再生し、かつ前記第１電源部材がさらに前記無線充電発射器に電気的に接続されることを特徴とする、無線充電ホルダー。
【請求項２】
前記自在継手に着脱自在に係合連結され、かつ前記モバイル電子端末を係止するための係合枠を備え、前記無線充電発射器が前記係合枠の内部に載置されることを特徴とする、請求項１に記載の無線充電ホルダー。
【請求項３】
前記係合枠の内部に前記第１電源部材に電気的に接続された第２電源部材が設けられ、前記無線充電発射器と前記第２電源部材とが電気的に接続されていることを特徴とする、請求項２に記載の無線充電ホルダー。
【請求項４】
前記ブルートゥース機構が、さらに受話器を備え、前記受話器が前記ブルートゥースモジュールに電気的に接続され、前記受話器が外部の音声を受信して前記ブルートゥースモジュールを介して前記モバイル電子端末に伝送することを特徴とする、請求項１に記載の無線充電ホルダー。
【請求項５】
前記ブルートゥース機構が、さらに前記スピーカーに電気的に接続された音量調節ボタンを備えることを特徴とする、請求項１に記載の無線充電ホルダー。
【請求項６】
前記支持体の下端に設けられ、前記無線充電ホルダーを支持面の上に固定する吸盤機構を備えることを特徴とする、請求項１に記載の無線充電ホルダー。
【請求項７】
前記吸盤機構が吸盤と弾性レバーとを備え、前記吸盤が前記支持体の下端に取り付けられ、前記弾性レバーが前記支持体に回動可能に連結され、前記弾性レバーの一端が前記支持体内へ延伸されて前記吸盤と弾性的に連結され、前記弾性レバーの他端が前記支持体外に露出されたことを特徴とする、請求項６に記載の無線充電ホルダー。
【請求項８】
前記支持体が湾曲構造を呈することを特徴とする、請求項１に記載の無線充電ホルダー。
【請求項９】
前記支持体の前記スピーカーに正対する位置に導音孔が開設されたことを特徴とする、請求項１に記載の無線充電ホルダー。
【請求項１０】
前記支持体の上端が旋回ボールにより球形構造に形成され、前記自在継手が前記旋回ボールを収容する球形チャンバを有し、前記旋回ボールが前記球形チャンバ内に旋回可能に嵌合されて前記自在継手が構成されていることを特徴とする、請求項１に記載の無線充電ホルダー。
【請求項１１】
前記自在継手に係合ツメが突出して設けられ、前記係合枠の背面に前記係合ツメに対応する係合溝が設けられ、前記係合ツメが前記係合溝に着脱自在に係合連結されて、前記係合枠の正面に前記モバイル電子端末が係設されることを特徴とする、請求項２に記載の無線充電ホルダー。
【考案の詳細な説明】
【技術分野】
【０００１】
本考案は、ブルートゥース機能及び無線充電機能を備えた無線充電ホルダーに関する。
【背景技術】
【０００２】
モバイル電子端末において、人々が最も使用し慣れている携帯電話（携帯と略称）を例として説明すると、携帯の使用過程において、使用者がビデオファイルを観賞したり、ファイルのブラウジングを行ったりする際に、通常、人が直接手で長時間持っていると、腕に疲れを感じるだけでなく、人の手では安定した姿勢を保持することが難しく、ディスプレイに揺動を生じ、視力に影響を与え、眩暈を感じさせることがある。同時に、大部分の携帯がビデオファイルの観賞やファイルのブラウジングなどをする場合では電力消費のペースが速くなり、即時充電が必要な状態となっている。この場合、データ転送・充電対応ケーブルで携帯に対して充電を行うことが最も一般的である。このような方法には、充電器、データ転送・充電対応ケーブルや移動電源などの使用が必要になる。携帯から電源周りまでの距離の限界がデータ転送・充電対応ケーブルの長さで決まってしまうため、色々な不便が伴う問題があった。
【０００３】
携帯の充電問題について、現在、最新の方法は、無線充電器を利用するものである。無線充電器は、電磁誘導原理を利用して充電を行う機器であり、主に、無線充電発信器と無線充電受信器とを備える。発信器と受信器はそれぞれコイルを有する回路基板を備え、発信器のコイルを初級コイルとし、受信器の上のコイルを次級コイルとする。
作動時、初級コイルが生成する磁界を次級コイルに作用させて電磁誘導を発生させることにより、次級コイルに誘導電流が生成され、当該誘導電流により電子機器の充電電池に充電を行う。
【０００４】
無線充電は、電磁誘導を利用して電気エネルギーを発信器から受信器に転送する。そのため、誘導電流の大きさは、充電電池の充電効果と効率に直接に影響するのであるが、当該誘導電流の大きさを決定する要因は、主に単位時間内に次級コイルを通過する磁束の多寡で決まる。磁束数は多ければ多いほど、生成される誘導電流が大きくなるので、充電効果をより好ましくより速く達成することができる。ところで、発信器と受信器両者の間の距離と角度を変更することで磁束を変化させることができる。そのため、発信器と受信器両者の間の位置（例えば角度、距離及び方向など）を適切に調整すれば、最大な充電電流が得られる状態になるので、最適な無線充電効果・効率が達成される。
【考案の概要】
【考案が解決しようとする課題】
【０００５】
本考案が解決しようとする課題は、上述の問題を解決し、様々な方向に旋回可能であり、音声再生機能及び無線充電機能を備えた、無線充電ホルダーを提供することにある。
【課題を解決するための手段】
【０００６】
本考案の無線充電ホルダーは、モバイル電子端末の支持に適用されるものであって、無線充電発射器と、自在継手と、支持体と、前記支持体内に収容されたブルートゥース機構とを備え、前記支持体の上端に前記自在継手が旋回可能に枢支され、前記自在継手に前記モバイル電子端末が着脱自在に係合連結可能であり、前記モバイル電子端末に対して無線充電を行う前記無線充電発射器が前記支持体内に設けられ、前記ブルートゥース機構が、ブルートゥースモジュールと、スピーカーと、電源を供給する第１電源部材とを備え、前記第１電源部材と前記スピーカーが前記ブルートゥースモジュールにそれぞれ電気的に接続され、前記ブルートゥースモジュールが前記モバイル電子端末の音声情報を受信して前記スピーカーを介して再生し、かつ前記第１電源部材がさらに前記無線充電発射器に電気的に接続される。
【０００７】
前記自在継手に着脱自在に係合連結され、かつ前記モバイル電子端末を係止するための係合枠を備え、前記無線充電発射器が前記係合枠の内部に載置されることがある。
この場合、前記係合枠の内部に前記第１電源部材に電気的に接続された第２電源部材が設けられ、前記無線充電発射器と前記第２電源部材とが電気的に接続されてもよい。
前記ブルートゥース機構が、さらに受話器を備え、前記受話器が前記ブルートゥースモジュールに電気的に接続され、前記受話器が外部の音声を受信して前記ブルートゥースモジュールを介して前記モバイル電子端末に伝送することもできる。
前記ブルートゥース機構が、さらに前記スピーカーに電気的に接続された音量調節ボタンを備えることもある。
【０００８】
前記支持体の下端に設けられ、前記無線充電ホルダーを支持面の上に固定する吸盤機構を備えてもよい。
この場合、前記吸盤機構が吸盤と弾性レバーとを備え、前記吸盤が前記支持体の下端に取り付けられ、前記弾性レバーが前記支持体に回動可能に連結され、前記弾性レバーの一端が前記支持体内へ延伸されて前記吸盤と弾性的に連結され、前記弾性レバーの他端が前記支持体外に露出されることがある。
前記支持体が湾曲構造を呈することは望ましい。
前記支持体の前記スピーカーに正対する位置に導音孔を開設するとよい。
前記支持体の上端が旋回ボールにより球形構造に形成され、前記自在継手が前記旋回ボールを収容する球形チャンバを有し、前記旋回ボールが前記球形チャンバ内に旋回可能に嵌合されて前記自在継手が構成されていることがある。
前記自在継手に係合ツメが突出して設けられ、前記係合枠の背面に前記係合ツメに対応する係合溝が設けられ、前記係合ツメが前記係合溝に着脱自在に係合連結されて、前記係合枠の正面に前記モバイル電子端末が係設されてもよい。
【考案の効果】
【０００９】
本考案の無線充電ホルダーは、自在継手を調整することにより、モバイル電子端末の位置及び角度の変化を実現し、ブルートゥース機構のスピーカーからモバイル電子端末の音声情報を直接再生することができ、使用者が任意の位置及び角度で見たり操作したりすることを可能にし、異なる環境下における音量と音質に対する多様なニーズを満たすと共に、無線充電発射器によりモバイル電子端末に対して効率良く無線充電を行うことができ、モバイル電子端末への充電の利便性を図ることができる。
【図面の簡単な説明】
【００１０】
【図１】本考案の実施例を示す無線充電ホルダーの斜視図である。
【図２】本考案の実施例を示す無線充電ホルダーの別角度から視た斜視図である。
【図３】本考案の実施例を示す無線充電ホルダーの弾性レバーを上げた状態における斜視図である。
【図４】本考案の実施例を示す無線充電ホルダーの自在継手を回動させた状態における斜視図である。
【図５】本考案の実施例を示す無線充電ホルダーの自在継手を別角度に回動させた状態における斜視図である。
【図６】本考案の別の実施例を示す無線充電ホルダーの斜視図である。
【図７】本考案の別の実施例を示す無線充電ホルダーの別角度から視た斜視図である。
【図８】本考案の別の実施例に係る係合枠の分解斜視図である。
【図９】本考案の実施例を示す無線充電ホルダーの保護ケースを連結した状態における斜視図である。
【図１０】本考案の実施例を示す無線充電ホルダーの保護ケースを別角度に回転した状態における斜視図である。
【図１１】本考案の実施例を示す無線充電ホルダーの別の保護ケースを連結した状態における斜視図である。
【図１２】本考案の実施例を示す無線充電ホルダーの別の保護ケースを別角度に回転した状態における斜視図である。
【考案を実施するための形態】
【００１１】
以下、本考案の実施例を図面に基づいて詳細に説明する。
図１と図２に示すように、本考案の無線充電ホルダー１００は、支持体１０と、自在継手２０と、支持体１０内に収容されたブルートゥース機構（図示しない）と、無線充電発射器４０（図８参照）とを備える。
支持体１０の上端１１に自在継手２０が旋回可能に枢支され、自在継手２０にモバイル電子端末が着脱自在に係合連結されるようになっている。無線充電発射器４０が支持体１０に設けられる。モバイル電子端末に対して無線充電を行うように、無線充電発射器４０を支持体１０内に載置してもよく、支持体１０外に設けてもよい。
また、前記ブルートゥース機構は、ブルートゥースモジュールと、スピーカーと、電源を供給する第１電源部材とを備える。第１電源部材とスピーカーはブルートゥースモジュールにそれぞれ電気的に接続され、ブルートゥースモジュールが前記モバイル電子端末の音声情報を受信して前記スピーカーを介して再生する。さらに、前記第１電源部材がさらに無線充電発射器４０に電気的に接続される。
【００１２】
好ましくは、前記ブルートゥース機構は、さらに受話器を備え、前記受話器が前記ブルートゥースモジュールに電気的に接続され、前記受話器が外部の音声を受信して前記ブルートゥースモジュールを介して前記モバイル電子端末に伝送することができる。
一歩進めて、前記ブルートゥース機構は、さらに音量調節ボタンを備え、前記音量調節ボタンが前記スピーカーに電気的に接続され、前記音量調節ボタンを通じて前記スピーカーの音量の大きさを調節し、音量に対する異なるニーズに対応させることができる。
ほかに、支持体１０の前記スピーカーに正対する位置に導音孔１３が開設され、前記スピーカーが発する音声が前記導音孔１３から直接伝達され、スピーカーの出力する音声の音質と音量を確保するようになっている。勿論、外部の音声も導音孔１３から支持体１０内の受話器に直接伝達されるため、受話器に伝達した音声の音質と音量をより明瞭にさせたりして、相手方に自分の声をはっきりと聞かせることができる。
【００１３】
図１から図５に示すように、無線充電ホルダー１００は、さらに支持体１０の下端に設けられる吸盤機構３０を備え、吸盤機構３０により無線充電ホルダー１００をより安定的に支持面の上に固定することができ、この結果、無線充電ホルダー１００に係合されるモバイル電子端末を安定して支持することができる。
【００１４】
図２に示すように、吸盤機構３０は、吸盤３１と弾性レバー３２とを備える。
吸盤３１は支持体１０の下端１２、具体的には、支持体１０の下端１２の底部に取り付けられている。
弾性レバー３２は支持体１０に回動可能に連結され、弾性レバー３２の一端が支持体１０内へ延伸されて吸盤３１と弾性的に連結され、弾性レバー３２の他端が支持体１０外に露出される。また、弾性レバー３２は手の指を掛けて回動させるために使用する開口３３を有する。
【００１５】
無線充電ホルダー１００を支持面の上に設置すれば、吸盤３１が支持面に吸着されることになり、使用者が手の指を開口３３に掛けて外向きに力を入れて弾性レバー３２を引くと、弾性レバー３２が手の指によって外側に引っ張られる作用力により旋回する。即ち、図３に示すように、弾性レバー３２の下端が外側に向かって回動されると共に、弾性レバー３２の上端が支持体１０内に向かって回動される。同時に、弾性レバー３２の上端を押せば、それと弾性的に連結された吸盤３１が下に向かって移動し、吸盤３１と支持体１０の底部との間に間隙３４が形成される。この時、支持体１０を握って上向きに力を入れて持ち上げると、吸盤３１を支持面との連結から楽に離脱させることができることから、支持面の上から楽に無線充電ホルダー１００を取り外すことができる。
【００１６】
一方、無線充電ホルダー１００を支持面の上に固定する必要がある時は、弾性レバー３２の下端を下向きに力を入れて圧下すると、弾性レバー３２が図２に示す状態に戻り、この場合、吸盤３１が支持体１０の底部に密着し、吸盤３１と支持体１０の底部との間には間隙がないか、または非常に小さい。この時、吸盤３１が支持面の上にしっかりと吸着されることになり、無線充電ホルダー１００が支持面の上にしっかりと固定される。
【００１７】
図１から図５に示すように、支持体１０は湾曲構造を呈する。支持体１０を湾曲させることにより、モバイル電子端末が旋回する時に支持体１０にぶつからないようにすることができ、この結果、無線充電ホルダー１００の上に固定されるモバイル電子端末の旋回角度と位置をより一層拡大することができる。
支持体１０の上端は旋回ボール１４により球形構造に形成される。自在継手２０は旋回ボール１４を収容する球形チャンバ２１を有し、旋回ボール１４が球形チャンバ２１内に様々な方向へ旋回可能に嵌合収容されて自在継手２０が構成されている。旋回ボール１４を球形チャンバ２１内で様々な方向へ旋回させることで、モバイル電子端末を無線充電ホルダー１００に対して様々な方向に旋回させることができることから、無線充電ホルダー１００の構造は、簡単かつ実用的で調節と製造がしやすい。
【００１８】
図４は、無線充電ホルダー１００の自在継手２０を図２に示す状態から継続的に上向きに持ち上げるように一定角度回転・旋回させた状態を示し、図５は、無線充電ホルダー１００の自在継手２０を図２に示す状態からその中心の回りに一定角度旋回させた状態を示す。
図２から図４及び図５への変化から分かるように、無線充電ホルダー１００は、その上に連結されたモバイル電子端末に対して方向自在に旋回可能となり、使用者が任意の位置及び角度で見たり操作したりすることを可能にし、より快適かつ使用者の都合に配慮した支持効果を得ることができる。
【００１９】
図６から図８は、本考案の別の実施例を示す。
別の実施例に係る無線充電ホルダー１００において、上記実施例との相違点は、さらに係合枠５０を備えることにある。係合枠５０は自在継手２０に着脱自在に係合連結され、かつ前記モバイル電子端末を係止するために用いられる。また、無線充電発射器４０が係合枠５０の内部に載置される。
係合枠５０の背面には係合ツメ２２に対応する係合溝５１が設けられ、係合枠５０が係合溝５１を介して自在継手２０に着脱自在に係合連結され、係合枠５０の正面にモバイル電子端末を係合するために用いる係合箇所５２が形成され、モバイル電子端末が係合箇所５２に着脱自在に係合される。
【００２０】
無線充電発射器４０が係合枠５０の底板内に載置される。この底板は、対応する底蓋５３及び上蓋５４を備え、無線充電発射器４０が底蓋５３と上蓋５４との間に設けられる。また、係合枠５０の内部に、さらに前記第１電源部材に電気的に接続された第２電源部材が設けられ、無線充電発射器４０と前記第２電源部材とが電気的に接続されている。単独設計の第２電源部材を利用して無線充電発射器４０に対して充電を行うことで、無線充電発射器４０よりモバイル電子端末への充電を効果的に保証できる。
【００２１】
使用時には、モバイル電子端末を直接に係合枠５０の係合箇所５２内に係設してもよく、保護ケースに嵌設されるモバイル電子端末を係合箇所５２内に係設してもよい。係合枠５０の支持体１０に対する相対位置を調整することにより、モバイル電子端末が無線充電ホルダー１００に対して方向自在に旋回することができる。
係合枠５０の構造は、本実施例に例示するものに限定されないことが理解されるべきである。係合枠５０の構造は、係合されるモバイル電子端末の構造によって相応の設計を施すことができ、使用されるモバイル電子端末に基づいて選択を行うことができる。
【００２２】
図７に示すように、本実施例では、弾性レバー３２の端部に、手の指を掛けて回動させるために使用する開口３３を有しないが、外向きに湾曲形成された操作部３５が設けられている。操作部３５は支持体１０外から突出しており、使用者が力を入れて操作部３５を外向きに引くと、弾性レバー３２が手の指によって外側に引っ張られる作用力により旋回する。即ち、弾性レバー３２の下端が外側に向かって回動されると共に、弾性レバー３２の上端が支持体１０内に向かって回動される。同時に、弾性レバー３２の上端を押せば、それと弾性的に連結された吸盤３１が下に向かって移動し、吸盤３１と支持体１０の底部との間に間隙が形成され、支持面の上から楽に支持体１０を取り外すことができる。
別の実施例における無線充電ホルダー１００のその他の構造については、図１〜図５に示す実施例と同様であるため、ここでの説明は割愛する。
【００２３】
以下、図９から図１２を参照して、無線充電ホルダー１００の使用方法及び操作方法について詳細に説明する。
図９と図１０は、携帯電話を取り付けるために用いる保護ケース６０が係設されている無線充電ホルダー１００を示す。携帯電話の外面に嵌合される保護ケース６０には、係合ツメ２２に対応する係合溝６１が設けられ、保護ケース６０の係合溝６１が無線充電ホルダー１００に着脱自在に係合される。
図２から図５に示す自在継手２０の位置変化と図９から図１０に示す保護ケース６０の位置変化から分かるように、保護ケース６０は無線充電ホルダー１００に対して方向自在に旋回可能となり、使用者が任意の位置及び角度で見たり操作したりすることを可能にし、より快適かつ使用者の都合に配慮した支持効果を得ることができる。
【００２４】
図１１と図１２は、タブレットコンピュータを取り付けるために用いる保護ケース６０に係設されている無線充電ホルダー１００を示す。図２から図５に示す自在継手２０の位置変化と図１１から図１２に示す保護ケース６０の位置変化から分かるように、保護ケース６０は無線充電ホルダー１００に対して方向自在に旋回可能となる。
また、携帯電話、ＰＤＡ、携帯型ゲーム機、タブレットコンピュータやナビゲーション装置などのモバイル電子端末のいずれもそれらに対応する保護ケース６０に取り付けられるため、無線充電ホルダー１００に対して、その上に連結されたモバイル電子端末が方向自在に旋回可能となり、使用者が任意の位置及び角度で見たり操作したりすることを可能にし、より快適かつ使用者の都合に配慮した支持効果を得ることができる。
【符号の説明】
【００２５】
１００：無線充電ホルダー
１０：支持体
１１：支持体の上端
１２：支持体の下端
１３：導音孔
１４：旋回ボール
２０：自在継手
２１：球形チャンバ
２２：係合ツメ
３０：吸盤機構
３１：吸盤
３２：弾性レバー
３３：開口
３４：間隙
３５：操作部
４０：無線充電発射器
５０：係合枠
５１：係合溝
５２：係合箇所
５３：底蓋
５４：上蓋
６０：保護ケース
６１：係合溝
【図１】
0003193967.tif 000003
【図２】
0003193967.tif 000004
【図３】
0003193967.tif 000005
【図４】
0003193967.tif 000006
【図５】
0003193967.tif 000007
【図６】
0003193967.tif 000008
【図７】
0003193967.tif 000009
【図８】
0003193967.tif 000010
【図９】
0003193967.tif 000011
【図１０】
0003193967.tif 000012
【図１１】
0003193967.tif 000013
【図１２】
0003193967.tif 000014